(57)【要約】【課題】具備されたスキャナとディスプレイの活用により、誤字・脱字の修正前後の状態確認が容易となり、ユーザが完成物を手にするまでの手間を減らすことができる画像形成装置を提供する。【解決手段】ボタン押下と連動してインクを吐出させるインクジェットヘッド６と、画像形成装置自体の角度や座標ズレを防止するセンサ８，９と、画像形成装置下部の印字情報をメモリ１１に格納するスキャナ１０と、印字情報を表示するディスプレイ４と、用紙の搬送を行わずに誤字または脱字を修正できる修正手段と、を有する。【選択図】図１
2016016664.tif 000002
【特許請求の範囲】
【請求項１】
ボタン押下と連動してインクを吐出させるインクジェットヘッドと、
画像形成装置自体の角度や座標ズレを防止するセンサと、
前記画像形成装置下部の印字情報をメモリに格納するスキャナと、
前記印字情報を表示するディスプレイと、
用紙の搬送を行わずに誤字または脱字を修正できる修正手段と、
を有することを特徴とする画像形成装置。
【請求項２】
前記修正手段は、ユーザが目視にて誤字を発見した後、誤字を背景色で塗り潰し、その上から修正したい内容を印字することを特徴とする請求項１記載の画像形成装置。
【請求項３】
前記修正手段は、ユーザが目視にて脱字を発見した後、脱字を含む一文を背景色で塗り潰し、その上から修正したい内容を印字することを特徴とする請求項１記載の画像形成装置。
【請求項４】
操作からデータを前記ディスプレイ上に呼び出すことが可能である選択ボタンを有し、
前記メモリには定型文字・色データが格納され、前記ディスプレイの表示内容をタッチ選択することで、文字や色を選択できることを特徴とする請求項２または３記載の画像形成装置。
【請求項５】
前記定型文字・色データは、比較的使用頻度の高い文字や図も定型文字の一つとして前記メモリにデータ格納されていることを特徴とする請求項４記載の画像形成装置。
【請求項６】
前記メモリには、前記定型文字・色データ以外のデータが格納され、
前記画像形成装置とパソコンとを接続し、該パソコン上の文書作成ソフトを使って非定型文字を作成し、前記メモリにデータ保存できることを特徴とする請求項４または５記載の画像形成装置。
【請求項７】
前記文書作成ソフトは、前記メモリに格納するデータの文字サイズや文字間隔を変更することで、前記脱字を含む一文を修正した後の文字のはみ出しを防止できることを特徴とする請求項６記載の画像形成装置。
【請求項８】
前記ディスプレイ上に印字開始位置を示す指示線を表示させ、前記ディスプレイに表示される一文を見ながら、修正したい位置を確認できることを特徴とする請求項２〜７のいずれか１項に記載の画像形成装置。
【請求項９】
ディスプレイ上に位置ズレ防止線を表示させ、該位置ズレ防止線と、前記指示線が垂直に交わるように前記画像形成装置の角度を調整することで印字角度を補正できることを特徴とする請求項８記載の画像形成装置。
【発明の詳細な説明】
【技術分野】
【０００１】
本発明は、手動での移動走査により画像を印刷することができる画像形成装置に関する。
【背景技術】
【０００２】
従来から、社内/社外によらず、特定の資料では体裁が要求される場合がある。その資料において、ユーザがプリンタから出力された用紙を見て正しく印刷されているか確認する際に、入力ミスによる誤字や脱字に気付くことがあるが、修正箇所が僅かであったとしても、新しい用紙で全面に印刷し直さなければならず、用紙やインクの無駄が生じている。
【０００３】
その解決手段の一つとして、パソコンとプリンタを接続し、パソコンのディスプレイ装置に映された文書作成ソフトから誤字・脱字領域を指定し、その領域を背景色で塗り潰す印刷を実施した後、文書作成ソフトから誤字もしくは脱字の修正内容を入力し印刷を実施することで、誤字もしくは脱字を修正する手法がある。その結果、印刷済み用紙の再利用と、印刷背景色のインク使用量を最低限に抑えられることが既に知られている。
【０００４】
特許文献１には、誤字・脱字がある印刷済み用紙を修正する場合に、新しい用紙で再び全面に印刷し直すと、用紙やインクが無駄になってしまうため、これを防止する目的で、パソコンとプリンタを接続し、パソコンのディスプレイ装置に映された文書作成ソフトから誤字・脱字領域を指定し、その領域を背景色で塗り潰す印刷を実施した後、文書作成ソフトから誤字もしくは脱字の修正内容を入力し印刷を実施することで、誤字もしくは脱字を修正するシステムが開示されている。
【０００５】
この印刷方法は、（１）プリンタとパソコンを接続、（２）用紙をプリンタに設置、（３）パソコン上の文書作成ソフトで誤字・脱字領域を選択、（４）文書作成ソフトで背景色を選択、（５）印刷実行し誤字・脱字領域を背景色に塗り潰す、（６）修正結果を確認する。
【０００６】
また、（７）用紙をプリンタに設置、（８）文書作成ソフトで誤字・脱字領域（背景色塗り潰し箇所）を選択、（９）文書作成ソフトで修正したい内容を選択、（１０）印刷実行し誤字・脱字領域を修正、（１１）修正結果を確認する。
【発明の概要】
【発明が解決しようとする課題】
【０００７】
しかし、従来技術や特許文献１に開示された誤字・脱字の修正システムは、オフィスや一般家庭で使用する大型/中型/小型プリンタを用いて、背景色で塗り潰す印刷と、誤字もしくは脱字を修正する印刷の計２回の印刷を行わなければならなかった。その印刷方法は具体的に上記の１１工程であり、ユーザにとって２回の通常印刷動作は、大きく手間がかかるという問題があった。
【０００８】
本発明は、前記課題を解決するためのものであり、その目的とするところは、具備されたスキャナとディスプレイの活用により、誤字・脱字の修正前後の状態確認が容易となり、ユーザが完成物を手にするまでの手間を減らすことができる画像形成装置を提供することである。
【課題を解決するための手段】
【０００９】
かかる目的を達成するために、本発明は、以下の特徴を有する。
【００１０】
本発明に係る画像形成装置は、ボタン押下と連動してインクを吐出させるインクジェットヘッドと、画像形成装置自体の角度や座標ズレを防止するセンサと、前記画像形成装置下部の印字情報をメモリに格納するスキャナと、前記印字情報を表示するディスプレイと、用紙の搬送を行わずに誤字または脱字を修正できる修正手段と、を有することを特徴とする。
【発明の効果】
【００１１】
本発明によれば、具備されるスキャナとディスプレイの活用により、誤字・脱字の修正前後の状態確認が容易となり、ユーザが完成物を手にするまでの手間を減らすことができる。
【図面の簡単な説明】
【００１２】
【図１】本実施形態に係るハンディモバイルプリンタの構成を示す概略図である。
【図２】誤字の例を示す図である。
【図３】誤字修正方法の流れを示すフロー図である。
【図４】ディスプレイ表示される定型色から誤字背景色に近い色を選択する方法を示す図である。
【図５】脱字の例を示す図である。
【図６】ユーザが脱字修正する場合の流れを示すフロー図である。
【図７】非定型文字をハンディモバイルプリンタのメモリに格納させるフロー図である。
【図８】文書作成ソフト上の画面を示す図である。
【図９】汚れの例を示す図である。
【図１０】ユーザが汚れを修正する場合の流れを示すフロー図である。
【図１１】定型文字の使用例を示す図である。
【図１２】本実施形態に係るハンディモバイルプリンタの位置ズレ防止方法を説明する図である。
【発明を実施するための形態】
【００１３】
以下、本実施形態について図面により詳細に説明する。
【００１４】
図１は、本実施形態に係るハンディモバイルプリンタ１の構成を示す概略図である。図１（ａ）はハンディモバイルプリンタ１の外観を示す図である。また、図１（ｂ）はハンディモバイルプリンタ１の内観を示す図である。
【００１５】
ハンディモバイルプリンタ１は、印字開始ボタン２と印字開始位置３とディスプレイ４と定型文字・色/非定型文字選択ボタン５とを有している。また、ハンディモバイルプリンタ１はインクジェットヘッド６と座標検知センサ７，８と距離検知センサ９とスキャナ１０とメモリ１１とを有している。
インクジェットヘッド６は、印字開始ボタン２押下と連動しインクを吐出させ、印字することが可能である。
【００１６】
ハンディモバイルプリンタ１はその名の通り、手に装置を持ちながら移動させることができるサイズである。手で移動させるには、ハンディモバイルプリンタ１の角度や座標のズレが重要となってくる。なぜなら、意図した角度への印字ができない、もしくは、意図した位置への印字ができないという現象につながるからである。
【００１７】
その対策として、座標検知センサ７，８および距離検知センサ９を有している。座標検知センサ７，８ではハンディモバイルプリンタ本体のＸ軸、Ｙ軸、回転軸を検知し、距離検知センサ９では移動する直線距離の検知および座標の補正を実施している。
【００１８】
ハンディモバイルプリンタ１はスキャナ１０を有している。スキャナ１０によって、ハンディモバイルプリンタ下部の印字情報を捉え、その画情報をメモリ１１に格納し、ディスプレイ４に表示できる。また、ディスプレイ４上には印字開始位置３を示す指示線が表示される。その指示線から印字が開始される。
【００１９】
また、ハンディモバイルプリンタはメモリ１１を有している。内部には、定型文字・色データを格納している。定型文字としては、ひらがな（あ、い、〜、を、ん）、数字（０、１、〜、８、９）、各色データを格納している。また、使用頻度が高い文字として、例えば、結婚式の招待状の返信ハガキにおいて、「・・・・行」の「行」を二重線で訂正し、「様」に変える場合を想定し、「二重線」や「様」等を用意しておく。
【００２０】
また、定型文字以外もメモリ１１には格納できるものとし、そのために、パソコンとハンディモバイルプリンタ１をＵＳＢケーブル等で接続し、パソコン上の文書作成ソフトを用いて非定型文字を作成できる。メモリ１１に格納された定型文字・色/非定型文字は、定型文字・色/非定型文字選択ボタン５を押下することで、ディスプレイ４上に表示され、ディスプレイタッチによりその文を選択できる。
【００２１】
図２は、誤字の例を示す図である。「いつもお世話になってうります。」と記載されている場合を示している。「う」は「お」の誤字である。
図３は、誤字修正方法の流れを示すフロー図である。大まかに説明すると、ユーザは印刷済み用紙上で目視にて誤字を発見し、その誤字を背景色で塗り潰し、さらにその上から誤字を修正するのが誤字修正方法である。詳細は以下のとおりである。
【００２２】
第一に、ユーザが印刷済み用紙上で目視にて誤字を発見する（ステップＳ１）。第二に、誤字を背景色で塗り潰す。そのためにはまず、背景色を把握する必要があるので、誤字部分をスキャナ１０で読み取る（ステップＳ２）。読み取った結果は、ディスプレイ４に表示される（ステップＳ３）。
【００２３】
図４は、ディスプレイ表示される定型色から誤字背景色に近い色を選択する方法を示す図である。ディスプレイ４には、文字と背景色とのスキャナ読み取り結果２１と、定型文字・色表示内容２２とが表示されている。
【００２４】
そのディスプレイ４に表示される背景色を参考にして、ハンディモバイルプリンタ１のボタン操作により呼び出される「定型文字・色」のディスプレイ表示内容から、塗り潰す色を選択する。そのボタン操作方法は、定型文字・色/非定型文字選択ボタン５を押下することで行う（ステップＳ４）。それにより、定型色がディスプレイ４上に表示され、ユーザは誤字が書かれた背景色に近い色を選択すればよい（ステップＳ５）。以上で、背景色の把握／選択は完了である（ステップＳ６）。
【００２５】
ここから、誤字を背景色で塗り潰す。そのために、今一度誤字部分をスキャナ１０で読み取り（ステップＳ７）、誤字部分をディスプレイ表示させる（ステップＳ８）。ディスプレイ４に表示される印字開始位置３を誤字部分に合わせた状態で（ステップＳ９）、印字開始ボタン２を押下することで（ステップＳ１０）、インクジェットヘッド６より選択した色が吐出される（ステップＳ１１）。
【００２６】
なお、吐出時は、スキャナ１０で読み取られるディスプレイ表示内容を確認しながら、ハンディモバイルプリンタ１を動かし、誤字を塗り潰すことで（ステップＳ１２）、誤字領域を見逃すことなく塗り潰すことが可能である。
【００２７】
第三に、誤字を修正する。まずは定型文字・色/非定型文字選択ボタン５を押下し（ステップＳ１３）、ディスプレイ４上に選択可能な文字が表示される（ステップＳ１４）。ディスプレイ４上に表示される文字から修正したい文字を選択する（ステップＳ１５）。今回の例では「お」が該当する。
【００２８】
その後、背景色で塗り潰した部分をスキャナ１０で読み取り（ステップＳ１６）、ディスプレイ表示させる（ステップＳ１７）。ディスプレイ４に表示される印字開始位置３を背景色で塗り潰した部分に合わせて（ステップＳ１８）、印字開始ボタン２を押下することで（ステップＳ１９）、先ほど選択した文字「お」がインクジェットヘッド６より吐出される（ステップＳ２０）。
【００２９】
なお、吐出時は、スキャナ１０で読み取られるディスプレイ表示内容を確認しながら、ハンディモバイルプリンタ１を動かし、必要な文字が誤字部分に正しく印字されたかを確認しながら、吐出させる（ステップＳ２１）。
【００３０】
図５は、脱字の例を示す図である。「いつもお世話になております。」と記載されている場合を示している。「な」と「て」の間に「っ」が抜けていて、脱字である。
図６は、ユーザが脱字修正する場合の流れを示すフロー図である。大まかに説明すると、ユーザは印刷済み用紙上で目視にて脱字を発見し、その脱字を含む一文を背景色で塗り潰し、さらにその上から脱字を修正するのが方法である。詳細は以下のとおりである。
【００３１】
第一に、ユーザが印刷済み用紙上で目視にて脱字を発見する（ステップＳ３１）。第二に、脱字を含む一文を背景色で塗り潰す。そのためにはまず、背景色を把握する必要があるので、脱字を含む一文をスキャナ１０で読み取る（ステップＳ３２）。読み取った結果はディスプレイ４に表示される（ステップＳ３３）。図４に示すように、そのディスプレイ４に表示される背景色を参考にして、ハンディモバイルプリンタ１のボタン操作により塗り潰す色を選択する。
【００３２】
そのボタン操作方法は、定型文字・色/非定型文字選択ボタン５を押下することで行う（ステップＳ３４）。それにより、定型色がディスプレイ上に表示され（ステップＳ３５）、ユーザは脱字を含む背景色に近い色を選択すればよい（ステップＳ３６）。以上で、背景色の把握／選択は完了である。
【００３３】
ここから、脱字を含む一文を背景色で塗り潰す。そのために、今一度脱字を含む一文をスキャナ１０で読み取り（ステップＳ３７）、脱字を含む一文がディスプレイ４に表示させる（ステップＳ３８）。ディスプレイ４に表示される印字開始位置３を、脱字を含む一文に合わせた状態で（ステップＳ３９）、印字開始ボタン３を押下することで（ステップＳ４０）、インクジェットヘッド６より選択した色が吐出される（ステップＳ４１）。
【００３４】
なお、吐出時は、スキャナ１０で読み取られるディスプレイ表示内容を確認しながら、ハンディモバイルプリンタ１を動かし、脱字を含む一文を塗り潰すことで、脱字を含む一文だけを塗り潰すことが可能である（ステップＳ４２）。
【００３５】
第三に、脱字を修正する。まずは定型文字・色/非定型文字選択ボタン５を押下し（ステップＳ４３）、ディスプレイ４上に表示される（ステップＳ４４）。文字から修正したい文字を選択する（ステップＳ４５）。今回の例では、「になております」が該当する。修正したい文字が非定型文字である場合の選択方法は、後述する。
【００３６】
その後、背景色で塗り潰した部分をスキャナ１０で読み取り（ステップＳ４６）、ディスプレイ表示させる（ステップＳ４７）。ディスプレイ４に表示される印字開始位置３を背景色で塗り潰した部分に合わせて（ステップＳ４８）、印字開始ボタン２を押下することで（ステップＳ４９）、先ほど選択した文字がインクジェットヘッド６より吐出される（ステップＳ５０）。
【００３７】
なお、吐出時は、スキャナ１０で読み取られるディスプレイ表示内容を確認しながら、ハンディモバイルプリンタ１を動かし、必要な文字が脱字を含む一文に正しく印字されたかを確認しながら、吐出させる（ステップＳ５１）。
【００３８】
なお、ここで修正したい文字が非定型文字であった場合を想定し、非定型文字をハンディモバイルプリンタ１のメモリ１１に格納する方法を記載する。図７は、非定型文字をハンディモバイルプリンタ１のメモリ１１に格納させるフロー図である。図８は、文書作成ソフト上の画面を示す図である。
【００３９】
第一に、ハンディモバイルプリンタ１で脱字を含む一文をスキャンし（ステップＳ６１）、スキャンデータをメモリ１１に格納する（ステップＳ６２）。
第二に、ハンディモバイルプリンタ１とパソコンをＵＳＢケーブルで接続し（ステップＳ６３）、パソコン上の文書作成ソフトを立ち上げる（ステップＳ６４）。その文書作成ソフト上で、ハンディモバイルプリンタ１のメモリ１１に格納されたデータを確認することができ、脱字を含む一文を表示させる（ステップＳ６５）。今回の例では、「なております」である。
【００４０】
第三に、脱字を含む一文の内容を参考にしつつ、修正したい文字をタイプする（ステップＳ６６）。今回の例では、「なっております」である。今回の例のように、文字が追加される場合、修正後に文字がはみ出してしまうことがある。文字のはみ出し防止のために、微調整が必要になる。
【００４１】
そこで、脱字を含む一文自体の文字サイズダウンもしくは、文字間隔を狭くすることを文書作成ソフトから実施できる（ステップＳ６７）。図８に示すように、文書作成ソフトでは、スキャンデータ（脱字を含む一文）である修正前の内容と、修正したい内容とを表示することができる。
【００４２】
ハンディモバイルメモリ格納データが修正前の内容「になております。」である。一方、新規メモリ格納データ内容が修正したい内容「になっております。」であり、修正後のデータがデータ保存される（ステップＳ６８）。図８では、修正したい内容の文字サイズを１６Ｐｔ→１４Ｐｔに変更している。それにより、文字がはみ出すことを防止している。
【００４３】
図９は、汚れの例を示す図である。「いつもお世話になっております。」の脇にペンで記載されたような線状の汚れがある。
図１０は、ユーザが汚れを修正する場合の流れを示すフロー図である。大まかに説明すると、ユーザは印刷済み用紙上で目視にて汚れを発見し、その汚れを背景色で塗り潰すのが方法である。詳細は以下のとおりである。
【００４４】
第一に、ユーザが印刷済み用紙上で目視にて汚れを発見する（ステップＳ７１）。第二に、汚れを背景色で塗り潰す。そのためにはまず、背景色を把握する必要があるので、汚れ部分をスキャナ１０で読み取る（ステップＳ７２）。読み取った結果はディスプレイ４に表示される（ステップＳ７３）。
【００４５】
図４に示すように、そのディスプレイ４に表示される背景色を参考にして、ハンディモバイルプリンタ１のボタン操作により塗り潰す色を選択する。そのボタン操作方法は、定型文字・色/非定型文字選択ボタン５押下することで行う（ステップＳ７４）。それにより、ディスプレイ上に選択可能な色が表示され（ステップＳ７５）、ディスプレイ上に表示される定型色から汚れの背景色に近い色を選択すればよい（ステップＳ７６）。以上で、背景色の把握／選択は完了である。
【００４６】
ここから、汚れを背景色で塗り潰す。そのために、今一度汚れ部分をスキャナ１０で読み取り（ステップＳ７７）、汚れ部分がディスプレイ４に表示され（ステップＳ７８）、ディスプレイ４に表示される印字開始位置３を汚れ部分に合わせた状態で（ステップＳ７９）、印字開始ボタン２を押下することで（ステップＳ８０）、ヘッドより選択した色が吐出される（ステップＳ８１）。
【００４７】
なお、吐出時は、スキャナ１０で読み取られるディスプレイ表示内容を確認しながら、ハンディモバイルプリンタ１を動かし、汚れを塗り潰すことで、汚れ領域を見逃すことなく塗り潰すことが可能である（ステップＳ８２）。
【００４８】
図１１は、定型文字の使用例を示す図である。図１１（ａ）は、ハガキ宛名の「行」を二重線で消し、「様」に変える。図１１（ｂ）は、ハガキの「御」を二重線で消し、出席に○をつける。
【００４９】
結婚式の招待状の返信ハガキには、返信する際にルール（マナー）が存在する。例えば、図１１（ａ）では、「行」を「様」に変えて返信することが必要で、その際に「行」を二重線で消すのがマナーとなっている。同様に、図１１（ｂ）では、「御」を二重線で消すこともマナーの一つである。「二重線」や「様」もしくは、出席もしくは欠席への○付けなどの比較的使用頻度が高い文字や図は定型文としてハンディモバイルプリンタ１のメモリ１１にデータ格納しておく。
【００５０】
図１２は、本実施形態に係るハンディモバイルプリンタ１の位置ズレ防止方法を説明する図である。図１２（ａ）は、ハンディモバイルプリンタ１の位置ズレ発生時を示す図である。図１２（ｂ）は、ハンディモバイルプリンタ１の位置ズレ防止方法を示す図である。
【００５１】
本実施形態での誤字・脱字・汚れ修正には、ハンディモバイルプリンタ１を手動によって誤字・脱字・汚れ領域まで持っていき、ディスプレイ４を見ながら、印字開始位置３を調整し、各種修正を加えることになるが、ハンディモバイルプリンタ１を手動させる角度によっては印字方向がズレてしまうことがある。
【００５２】
図１２（ａ）は、紙面上の記載文字に対してハンディモバイルプリンタ１の角度がズレてしまった場合を示している。記載文字「あい  えお」に対して、ハンディモバイルプリンタ自体の角度がズレてしまい、印字開始位置３が斜めに表示されている状態を表している。その位置ズレ防止方法を図１２（ｂ）に示す。
【００５３】
図１２（ｂ）では、位置ズレ防止線３１をディスプレイ４上に表示させ、その位置ズレ防止線３１と印字開始位置３が垂直に交わるようにハンディモバイルプリンタ１の角度をユーザ調整し、印字を行う方法である。
【００５４】
本実施形態によれば、誤字・脱字がある印刷済み用紙の修正装置として、オフィスや一般家庭向けの大型/中型/小型プリンタは使用せず、ラベルプリンタのような片手で持てるサイズのハンディモバイルプリンタを使用する。ハンディモバイルプリンタは主にインクを吐出するヘッドや、スキャナ、ディスプレイを備えている。
【００５５】
誤字・脱字を修正する場合、まず最初にスキャナで誤字・脱字領域を読み取り、その領域をディスプレイに表示させ、インクヘッドにより背景色で塗り潰す。その後、ハンディモバイルプリンタに備わるメモリに格納された定型文/非定型文から修正文字を選択し、塗り潰した背景色の上からインクヘッドにより修正を加える。
【００５６】
ハンディモバイルプリンタを使用した誤字・脱字修正システムでは、オフィス/一般家庭向けプリンタを用いた誤字・脱字修正システムとは異なり、新しい用紙の設置および用紙搬送の必要がなく、具備されるスキャナとディスプレイの活用により誤字・脱字の修正前後の状態確認が容易になり、ユーザが完成物を手にするまでの手間を減らすことができる。
【００５７】
なお、上述した実施の形態は、本発明の好適な実施の形態の一例を示すものであり、本発明はそれに限定されることなく、その要旨を逸脱しない範囲内において、種々変形実施が可能である。
【符号の説明】
【００５８】
１    ハンディモバイルプリンタ
２    印字開始ボタン
３    印字開始位置
４    ディスプレイ
５    定型文字・色/非定型文字選択ボタン
６    インクジェットヘッド
７    座標検知センサ
９    距離検知センサ
１０    スキャナ
１１    メモリ
３１    位置ズレ防止線
【先行技術文献】
【特許文献】
【００５９】
【特許文献１】特開２００６−５１７３３号公報
【図１】
2016016664.tif 000003
【図２】
2016016664.tif 000004
【図３】
2016016664.tif 000005
【図４】
2016016664.tif 000006
【図５】
2016016664.tif 000007
【図６】
2016016664.tif 000008
【図７】
2016016664.tif 000009
【図８】
2016016664.tif 000010
【図９】
2016016664.tif 000011
【図１０】
2016016664.tif 000012
【図１１】
2016016664.tif 000013
【図１２】
2016016664.tif 000014